(57)【特許請求の範囲】
【請求項１】
第１の面およびこれとは反対側の第２の面を有する透明部材であり、第１の面側の光景を第２の面側の観察者に視認可能に透過し、第２の面側の光景を第１の面側の観察者に視認可能に透過し、かつ第１の面側に設置された投影機から投射された映像光を第１の面側の観察者に映像として視認可能に表示する反射型の映像表示透明部材と、
映像表示透明部材の第１の面側に設置された投影機と
を備えた映像表示システムであって、
前記投影機が、短焦点プロジェクタであり、
前記映像表示透明部材の透過率が、５〜８０％であり、
前記映像表示透明部材の反射率が、１８％以上であり、
前記映像表示透明部材の後方ヘーズが、５〜８０％であり、
前記映像表示透明部材の前方ヘーズが、５０％以下である、映像表示システム。
【請求項２】
前記映像表示透明部材に表示された映像の投影機に最も近い部分における、映像表示透明部材の第１の面への映像光の入射角が、１５〜６０度である、請求項１に記載の映像表示システム。
【請求項３】
前記映像表示透明部材が、第１の面と第２の面との間に、表面に凹凸構造を有する第１の透明層を有し、
第１の透明層の凹凸構造の算術平均粗さＲａが、０．０１〜２０μｍである、請求項１または２に記載の映像表示システム。
【請求項４】
前記映像表示透明部材が、第１の面と第２の面との間に、第１の透明層の凹凸構造側の面に沿うように形成された、入射した光の一部を透過する反射膜と、反射膜の表面を覆うように設けられた第２の透明層とをさらに有する、請求項３に記載の映像表示システム。
【請求項５】
前記映像表示透明部材における、第１の透明層の表面の凹凸構造が、不規則な凹凸構造である、請求項３または４に記載の映像表示システム。
【請求項６】
第１の面およびこれとは反対側の第２の面を有する透明部材であり、第１の面側の光景を第２の面側の観察者に視認可能に透過し、第２の面側の光景を第１の面側の観察者に視認可能に透過し、かつ第１の面側に設置された投影機から投射された映像光を第２の面側の観察者に映像として視認可能に表示する透過型の映像表示透明部材と、
映像表示透明部材の第１の面側に設置された投影機と
を備えた映像表示システムであって、
前記投影機が、短焦点プロジェクタであり、
前記映像表示透明部材の透過率が、５％以上であり、
前記映像表示透明部材の反射率が、１５％以下であり、
前記映像表示透明部材の前方ヘーズが、８〜４０％である、映像表示システム。
【請求項７】
前記映像表示透明部材に表示された映像の投影機に最も近い部分における、映像表示透明部材の第１の面への映像光の入射角が、１５〜６０度である、請求項６に記載の映像表示システム。
【請求項８】
前記映像表示透明部材が、第１の面と第２の面との間に、透明層と、透明層の内部に互いに平行に、かつ所定の間隔で配置された、面方向に沿って延びる複数の光散乱部とを有する、請求項６または７に記載の映像表示システム。
【請求項９】
第１の面およびこれとは反対側の第２の面を有する透明部材であり、第１の面側の光景を第２の面側の観察者に視認可能に透過し、第２の面側の光景を第１の面側の観察者に視認可能に透過し、かつ第１の面側から投射された映像光を第１の面側の観察者に映像として視認可能に表示する反射型の映像表示透明部材に、
映像表示透明部材の第１の面側に設置された投影機から映像光を投射し、映像を表示させる方法であって、
前記投影機が、短焦点プロジェクタであり、
前記映像表示透明部材の透過率が、５〜８０％であり、
前記映像表示透明部材の反射率が、１８％以上であり、
前記映像表示透明部材の後方ヘーズが、５〜８０％であり、
前記映像表示透明部材の前方ヘーズが、５０％以下である、映像表示方法。
【請求項１０】
前記映像表示透明部材に表示された映像の投影機に最も近い部分における、映像表示透明部材の第１の面への映像光の入射角が、１５〜６０度である、請求項９に記載の映像表示方法。
【請求項１１】
前記映像表示透明部材が、第１の面と第２の面との間に、表面に凹凸構造を有する第１の透明層を有し、
第１の透明層の凹凸構造の算術平均粗さＲａが、０．０１〜２０μｍである、請求項９または１０に記載の映像表示方法。
【請求項１２】
前記映像表示透明部材が、第１の面と第２の面との間に、第１の透明層の凹凸構造側の面に沿うように形成された、入射した光の一部を透過する反射膜と、反射膜の表面を覆うように設けられた第２の透明層とをさらに有する、請求項１１に記載の映像表示方法。
【請求項１３】
前記映像表示透明部材における、第１の透明層の表面の凹凸構造が、不規則な凹凸構造である、請求項１１または１２に記載の映像表示方法。
【請求項１４】
第１の面およびこれとは反対側の第２の面を有する透明部材であり、第１の面側の光景を第２の面側の観察者に視認可能に透過し、第２の面側の光景を第１の面側の観察者に視認可能に透過し、かつ第１の面側から投射された映像光を第２の面側の観察者に映像として視認可能に表示する透過型の映像表示透明部材に、
映像表示透明部材の第１の面側に設置された投影機から映像光を投射し、映像を表示させる方法であって、
前記投影機が、短焦点プロジェクタであり、
前記映像表示透明部材の透過率が、５％以上であり、
前記映像表示透明部材の反射率が、１５％以下であり、
前記映像表示透明部材の前方ヘーズが、８〜４０％である、映像表示方法。
【請求項１５】
前記映像表示透明部材に表示された映像の投影機に最も近い部分における、映像表示透明部材の第１の面への映像光の入射角が、１５〜６０度である、請求項１４に記載の映像表示方法。
【請求項１６】
前記映像表示透明部材が、第１の面と第２の面との間に、透明層と、透明層の内部に互いに平行に、かつ所定の間隔で配置された、面方向に沿って延びる複数の光散乱部とを有する、請求項１４または１５に記載の映像表示方法。
【発明の詳細な説明】
【技術分野】
【０００１】
本発明は、投影機から映像表示透明部材に投射された映像光を観察者に映像として視認可能に表示する映像表示システムおよび映像表示方法に関する。
【背景技術】
【０００２】
商品等のショーケース；美術品等の展示ケース；建物、ショールーム、車両等の窓；ガラス扉；室内の透明パーティション等に用いられる透明部材として、下記のものが提案されている。
観察者側から見て透明部材の向こう側に見える光景を視認でき、かつ観察者に対して商品等の説明、各種機器の状態、行き先案内、伝達事項等の情報を伝達する際、観察者に対して各種機器の操作画面等を表示する際、またはプライバシー保護、セキュリティ等のために観察者に対して透明部材の向こう側の光景を視認できなくする際には、投影機から投射された映像光を観察者に映像として視認可能に表示する映像表示透明部材（いわゆる透明スクリーン）。
【０００３】
映像表示透明部材には、投影機から投射された映像光を投影機と同じ側にいる観察者に映像として視認可能に表示する反射型の映像表示透明部材と；投影機から投射された映像光を投影機と反対側にいる観察者に映像として視認可能に表示する透過型の映像表示透明部材とがある。
【０００４】
反射型の映像表示透明部材としては、たとえば、図９に示すような、第１の透明基材１１０と、第２の透明基材１２０との間に、表面に規則的な凹凸構造（マイクロレンズアレイ）が形成された第１の透明層１３２と、第１の透明層１３２の凹凸構造側の面に沿うように形成された、入射した光の一部を透過する反射膜１３３と、反射膜１３３の表面を覆うように設けられた第２の透明層１３４とを有する映像表示透明部材１０１が提案されている（特許文献１参照）。
【０００５】
反射型の映像表示透明部材１０１においては、図９に示すように、投影機２００から投射され、第２の透明基材１２０側の表面（第１の面Ａ）から入射した映像光Ｌが、反射膜１３３において散乱することによって結像し、投影機２００と同じ側にいる観察者Ｘに映像として視認可能に表示される。
【０００６】
透過型の映像表示透明部材としては、たとえば、図１０に示すような、第１の透明基材１１０と、第２の透明基材１２０との間に、透明層１４２と、透明層１４２の内部に互いに平行に、かつ所定の間隔で配置された、面方向に沿って延びる複数の光散乱部１４３と有する映像表示透明部材１０２が提案されている（特許文献２参照）。
【０００７】
透過型の映像表示透明部材１０２においては、図１０に示すように、投影機２００から投射され、第１の透明基材１１０側の表面（第１の面Ａ）から入射した映像光Ｌが、光散乱部１４３において散乱することによって結像し、投影機２００と反対側にいる観察者Ｙに映像として視認可能に表示される。
【０００８】
近年、投影機としては、至近距離から映像光を投射することによって映像表示透明部材に大きな映像を表示させる短焦点プロジェクタが開発されている。短焦点プロジェクタは、映像表示透明部材までの投射距離が比較的短いため、映像表示透明部材の表面への映像光の入射角は、通常のプロジェクタに比べて大きくなる。そのため、短焦点プロジェクタを用いた場合は、映像表示透明部材における、短焦点プロジェクタに近い部分と遠い部分とで、表示される映像に輝度のばらつきが生じる。また、表示される映像のコントラストが低下し、画質が低下する。よって、表示される映像に輝度のばらつきが少なく、表示される映像のコントラストが高い状態を維持できる映像表示透明部材、特に、表示される映像のコントラストが高い状態を維持できる映像表示透明部材が求められている。
【先行技術文献】
【特許文献】
【０００９】
【特許文献１】特表２０１０−５３９５２５号公報
【特許文献２】特開２０１４−０１３３６９号公報
【発明の概要】
【発明が解決しようとする課題】
【００１０】
本発明は、短焦点プロジェクタを用いた映像表示システムおよび映像表示方法において、観察者側から見て映像表示透明部材の向こう側に見える光景の視認性を低下させることなく、映像表示透明部材に表示される映像のコントラストが高い状態を維持できる映像表示システムおよび映像表示方法を提供する。
【課題を解決するための手段】
【００１１】
本発明は、以下の構成を有する。
［１］第１の面およびこれとは反対側の第２の面を有する透明部材であり、第１の面側の光景を第２の面側の観察者に視認可能に透過し、第２の面側の光景を第１の面側の観察者に視認可能に透過し、かつ第１の面側に設置された投影機から投射された映像光を第１の面側の観察者に映像として視認可能に表示する反射型の映像表示透明部材と、映像表示透明部材の第１の面側に設置された投影機とを備えた映像表示システムであって、前記投影機が、短焦点プロジェクタであり、前記映像表示透明部材の透過率が、５〜８０％であり、前記映像表示透明部材の反射率が、１８％以上であり、前記映像表示透明部材の後方ヘーズが、５〜８０％であり、前記映像表示透明部材の前方ヘーズが、５０％以下である、映像表示システム。
［２］前記映像表示透明部材に表示された映像の投影機に最も近い部分における、映像表示透明部材の第１の面への映像光の入射角が、１５〜６０度である、［１］の映像表示システム。
［３］前記映像表示透明部材が、第１の面と第２の面との間に、表面に凹凸構造を有する第１の透明層を有し、第１の透明層の凹凸構造の算術平均粗さＲａが、０．０１〜２０μｍである、［１］または［２］の映像表示システム。
［４］前記映像表示透明部材が、第１の面と第２の面との間に、第１の透明層の凹凸構造側の面に沿うように形成された、入射した光の一部を透過する反射膜と、反射膜の表面を覆うように設けられた第２の透明層とをさらに有する、［３］の映像表示システム。  ［５］前記映像表示透明部材における、第１の透明層の表面の凹凸構造が、不規則な凹凸構造である、［３］または［４］の映像表示システム。
［６］第１の面およびこれとは反対側の第２の面を有する透明部材であり、第１の面側の光景を第２の面側の観察者に視認可能に透過し、第２の面側の光景を第１の面側の観察者に視認可能に透過し、かつ第１の面側から投射された映像光を第２の面側の観察者に映像として視認可能に表示する透過型の映像表示透明部材と、映像表示透明部材の第１の面側に設置された投影機とを備えた映像表示システムであって、前記投影機が、短焦点プロジェクタであり、前記映像表示透明部材の透過率が、５％以上であり、前記映像表示透明部材の反射率が、１５％以下であり、前記映像表示透明部材の前方ヘーズが、８〜４０％である、映像表示システム。
［７］前記映像表示透明部材に表示された映像の投影機に最も近い部分における、映像表示透明部材の第１の面への映像光の入射角が、１５〜６０度である、［６］の映像表示システム。
［８］前記映像表示透明部材が、第１の面と第２の面との間に、透明層と、透明層の内部に互いに平行に、かつ所定の間隔で配置された、面方向に沿って延びる複数の光散乱部とを有する、［６］または［７］の映像表示システム。
【００１２】
［９］第１の面およびこれとは反対側の第２の面を有する透明部材であり、第１の面側の光景を第２の面側の観察者に視認可能に透過し、第２の面側の光景を第１の面側の観察者に視認可能に透過し、かつ第１の面側から投射された映像光を第１の面側の観察者に映像として視認可能に表示する反射型の映像表示透明部材に、映像表示透明部材の第１の面側に設置された投影機から映像光を投射し、映像を表示させる方法であって、前記投影機が、短焦点プロジェクタであり、前記映像表示透明部材の透過率が、５〜８０％であり、前記映像表示透明部材の反射率が、１８％以上であり、前記映像表示透明部材の後方ヘーズが、５〜８０％であり、前記映像表示透明部材の前方ヘーズが、５０％以下である、映像表示方法。
［１０］前記映像表示透明部材に表示された映像の投影機に最も近い部分における、映像表示透明部材の第１の面への映像光の入射角が、１５〜６０度である、［９］の映像表示方法。
［１１］前記映像表示透明部材が、第１の面と第２の面との間に、表面に凹凸構造を有する第１の透明層を有し、第１の透明層の凹凸構造の算術平均粗さＲａが、０．０１〜２０μｍである、［９］または［１０］の映像表示方法。
［１２］前記映像表示透明部材が、第１の面と第２の面との間に、第１の透明層の凹凸構造側の面に沿うように形成された、入射した光の一部を透過する反射膜と、反射膜の表面を覆うように設けられた第２の透明層とをさらに有する、［１１］の映像表示方法。  ［１３］前記映像表示透明部材における、第１の透明層の表面の凹凸構造が、不規則な凹凸構造である、［１１］または［１２］の映像表示方法。
［１４］第１の面およびこれとは反対側の第２の面を有する透明部材であり、第１の面側の光景を第２の面側の観察者に視認可能に透過し、第２の面側の光景を第１の面側の観察者に視認可能に透過し、かつ第１の面側から投射された映像光を第２の面側の観察者に映像として視認可能に表示する透過型の映像表示透明部材に、映像表示透明部材の第１の面側に設置された投影機から映像光を投射し、映像を表示させる方法であって、前記投影機が、短焦点プロジェクタであり、前記映像表示透明部材の透過率が、５％以上であり、前記映像表示透明部材の反射率が、１５％以下であり、前記映像表示透明部材の前方ヘーズが、８〜４０％である、映像表示方法。
［１５］前記映像表示透明部材に表示された映像の投影機に最も近い部分における、映像表示透明部材の第１の面への映像光の入射角が、１５〜６０度である、［１４］に記載の映示方法。
［１６］前記映像表示透明部材が、第１の面と第２の面との間に、透明層と、透明層の内部に互いに平行に、かつ所定の間隔で配置された、面方向に沿って延びる複数の光散乱部とを有する、［１４］または［１５］の映像表示方法。
【発明の効果】
【００１３】
本発明の映像表示システムおよび映像表示方法によれば、短焦点プロジェクタを用いた映像表示システムおよび映像表示方法において、観察者側から見て映像表示透明部材の向こう側に見える光景の視認性を低下させることなく、映像表示透明部材に表示される映像のコントラストが高い状態を維持することができる。
【図面の簡単な説明】
【００１４】
【図１】本発明の映像表示システムの一例を示す概略構成図および反射型の映像表示透明部材の一例を示す層構成図である。
【図２】反射型の映像表示透明部材の製造工程の一例を示す断面図である。
【図３】反射型の映像表示透明部材の他の例を示す層構成図である。
【図４】反射型の映像表示透明部材の他の例を示す層構成図である。
【図５】本発明の映像表示システムの他の例を示す概略構成図および透過型の映像表示透明部材の一例を示す層構成図である。
【図６】透過型の映像表示透明部材の製造工程の一例を示す断面図である。
【図７】透過型の映像表示透明部材の他の例を示す層構成図である。
【図８】透過型の映像表示透明部材の他の例を示す層構成図である。
【図９】従来の映像表示システムの一例を示す概略構成図および反射型の映像表示透明部材の一例を示す層構成図である。
【図１０】従来の映像表示システムの他の例を示す概略構成図および透過型の映像表示透明部材の一例を示す層構成図である。
【発明を実施するための形態】
【００１５】
以下の用語の定義は、本明細書および特許請求の範囲にわたって適用される。
「第１の面」とは、映像表示透明部材の最表面であって、投影機から映像光が投射される側の表面を意味する。
「第２の面」とは、映像表示透明部材の最表面であって、第１の面とは反対側の表面を意味する。
「第１の面側（第２の面側）の光景」とは、映像表示透明部材の第２の面側（第１の面側）にいる観察者から見て、映像表示透明部材の向こう側に見える像（主要対象物（商品、美術品、人物等）およびその背景、ならびに風景等）を意味する。光景には、投影機から投射された映像光が映像表示透明部材において結像して表示される映像は含まれない。
「入射角」とは、映像光の入射方向と映像表示透明部材の第１の面の法線とがなす角度を意味する。
「前方ヘーズ」とは、第１の面側から第２の面側に透過する透過光、または第２の面側から第１の面側に透過する透過光のうち、前方散乱によって、入射光から０．０４４ｒａｄ（２．５°）以上それた透過光の百分率を意味する。すなわち、ＪＩＳ  Ｋ  ７１３６：２０００（ＩＳＯ  １４７８２：１９９９）に記載された方法によって測定される、通常のヘーズである。
「後方ヘーズ」とは、第１の面において反射する反射光のうち、散乱によって、正反射光から０．０４４ｒａｄ（２．５°）以上それた反射光の百分率を意味する。
「凹凸構造」とは、複数の凸部、複数の凹部、または複数の凸部および凹部からなる凹凸形状を意味する。
「不規則な凹凸構造」とは、凸部または凹部が周期的に出現せず、かつ凸部または凹部の大きさが不揃いである凹凸構造を意味する。
「シート」は、枚葉のものであってもよく、連続した帯状のものであってもよい。
算術平均粗さ（Ｒａ）は、ＪＩＳ  Ｂ  ０６０１：２０１３（ＩＳＯ  ４２８７：１９９７，Ａｍｄ．１：２００９）に基づき測定される算術平均粗さである。粗さ曲線用の基準長さｌｒ（カットオフ値λｃ）は０．８ｍｍとした。
透過率は、拡散されずに透過した光と、拡散されて透過した光の合計であり、全光線透過率と同等である。ただし、入射した部位から大きく外れたり、部材端部から放出されたものは含まない。
反射率は、正反射率と拡散反射率の和であり、全光線反射率と同等である。ただし、入射した部位から大きく外れたり、部材端部から放出されたものは含まない。
透過率、反射率、屈折率は、ナトリウムランプのｄ線（波長５８９ｎｍ）を用いて室温で測定したときの値である。
【００１６】
＜反射型の映像表示透明部材を備えた映像表示システム＞
本発明の映像表示システムの第１の態様は、反射型の映像表示透明部材と、映像表示透明部材の第１の面側に設置された投影機とを備えた映像表示システムである。
【００１７】
図１は、本発明の映像表示システムの一例を示す概略構成図である。
映像表示システムは、反射型の映像表示透明部材１と、映像表示透明部材１の第１の面Ａ側に設置された投影機２００とを備える。
【００１８】
（投影機）
投影機２００は、映像表示透明部材１に映像光Ｌを投射できる短焦点プロジェクタである。
短焦点プロジェクタは、１０〜９０ｃｍの至近距離からの映像光の投射が可能なプロジェクタであり、超短焦点プロジェクタと呼ばれることもある。
短焦点プロジェクタを用いることによって、光軸方向に焦点位置とずれた場所においても、光量の密度が高い状態となる映像の中央付近の光が、映像表示透明部材１の第１の面Ａにおいて正反射した反射光Ｒの出射角、および結像せずに反射膜３３を透過した透過光Ｔの出射角が大きくなるため、反射光Ｒや透過光Ｔが観察者Ｘや観察者Ｙの目に入りにくい。
【００１９】
投影機２００は、映像表示透明部材１に表示された映像の投影機２００に最も近い部分における、映像表示透明部材１の第１の面Ａへの映像光の入射角αが１５〜６０度となるように、映像表示透明部材１の第１の面Ａ側に設置されるのが好ましい。入射角αが１５度以上であれば、第１の面Ａにおいて正反射した反射光Ｒの出射角、および結像せずに反射膜３３を透過した透過光Ｔの出射角が大きくなるため、反射光Ｒや透過光Ｔが観察者Ｘや観察者Ｙの目に入りにくい。入射角αが６０度以下であれば、映像表示透明部材１における輝度の低下が抑えられる。すなわち、映像光Ｌの入射角が小さければ、反射膜３３で散乱し、観察者Ｘへ向かう散乱光が多くなり輝度は高くなるが、映像光Ｌの入射角が大きければ、反射膜３３で散乱し、観察者Ｘへ向かう散乱光が少なくなり輝度は低くなる。入射角αは、１５〜５０度が好ましく、２０〜４５度がより好ましい。
投影機２００から投射される映像光Ｌは、投影機２００から離れるほど入射角が大きくなり、より正反射から離れる角度方向に散乱されなければ、観察者Ｘによって視認されない。そのため、オリジナルの映像に対して、投影機２００に近い方の光量が小さく、投影機２００に遠い方の光量が大きくなるようにして、観察者Ｘへ到達する光量がオリジナルの映像と同等の光量分布となるように、補正してもよい。
また、映像表示透明部材１に表示された映像の中心部分における、映像表示透明部材１の第１の面Ａへの映像光Ｌの入射角は、３０度以上であってもよい。該入射角が３０度以上であれば、映像表示透明部材１に表示された映像の中心付近における、映像を形成しない強度の高い光を観察者が広い範囲で視認しづらくなる。該入射角は、４５度以上がより好ましい。
【００２０】
（反射型の映像表示透明部材）
反射型の映像表示透明部材は、第１の面およびこれとは反対側の第２の面を有する透明部材であり、第１の面側の光景を第２の面側の観察者に視認可能に透過し、第２の面側の光景を第１の面側の観察者に視認可能に透過し、かつ第１の面側から投射された映像光を第１の面側の観察者に映像として視認可能に表示する映像表示透明部材である。
【００２１】
図１は、反射型の映像表示透明部材の一例を示す層構成図である。
映像表示透明部材１は、第１の透明基材１０と、第２の透明基材２０との間に、光散乱シート３０が配置されたものである。
第１の透明基材１０と光散乱シート３０とは、接着層１２によって接着され、第２の透明基材２０と光散乱シート３０とは、接着層２２によって接着されている。
【００２２】
（透明基材）
第１の透明基材１０および第２の透明基材２０（以下、まとめて透明基材とも記す。）の材料としては、ガラス、透明樹脂等が挙げられる。各透明基材の材料は、同じものであってもよく、異なるものであってもよい。
【００２３】
透明基材を構成するガラスとしては、ソーダライムガラス、無アルカリガラス、ホウケイ酸ガラス、アルミノケイ酸塩ガラス等が挙げられる。ガラスからなる透明基材には、耐久性を向上させるために、化学強化、物理強化、ハードコーティング等を施してもよい。
【００２４】
透明基材を構成する透明樹脂としては、ポリカーボネート、ポリエステル（ポリエチレンテレフタレート、ポリエチレンナフタレート等）、トリアセチルセルロース、シクロオレフィンポリマー、ポリメチルメタクリレート等が挙げられ、耐候性や透明性の点から、ポリカーボネート、ポリエステル、シクロオレフィンポリマーが好ましい。
【００２５】
透明基材としては、複屈折がないものが好ましい。
透明基材の厚さは、基材としての耐久性が保たれる厚さであればよい。透明基材の厚さは、たとえば、０．０１ｍｍ以上であってよく、０．０５ｍｍ以上であってよく、０．１ｍｍ以上であってよい。また、透明基材の厚さは、たとえば、１０ｍｍ以下であってよく、５ｍｍ以下であってよく、０．５ｍｍ以下であってよく、０．３ｍｍ以下であってよく、０．１５ｍｍ以下であってよい。
【００２６】
（接着層）
接着層１２および接着層２２（以下、まとめて接着層とも記す。）の材料としては、エチレン−酢酸ビニル共重合体、ポリビニルブチラール、粘着剤（アクリル系粘着剤等）、光硬化性樹脂組成物、熱硬化性樹脂組成物、熱可塑性樹脂組成物等が挙げられる。各接着層の材料は、同じものであってもよく、異なるものであってもよい。
【００２７】
熱可塑性樹脂組成物に含まれる熱可塑性樹脂としては、たとえば、可塑化ポリビニルアセタール、可塑化ポリ塩化ビニル、飽和ポリエステル、可塑化飽和ポリエステル、ポリウレタン、可塑化ポリウレタン、エチレン−酢酸ビニル共重合体、エチレン−エチルアクリレート共重合体等が挙げられる。
【００２８】
接着層の厚さは、接着層としての機能が保たれる厚さであればよく、たとえば、０．０１〜１．５ｍｍが好ましく、０．０５〜１ｍｍがより好ましい。
【００２９】
（光散乱シート）
光散乱シート３０は、第１の透明フィルム３１と；第１の透明フィルム３１の表面に設けられた、表面に不規則な凹凸構造を有する第１の透明層３２と；第１の透明層３２の凹凸構造側の面に沿うように形成された、入射した光の一部を透過する反射膜３３と；反射膜３３の表面を覆うように設けられた第２の透明層３４と；第２の透明層３４の表面に設けられた第２の透明フィルム３５とを有する。
【００３０】
（透明フィルム）
第１の透明フィルム３１および第２の透明フィルム３５（以下、まとめて透明フィルムとも記す。）は、透明樹脂フィルムであってもよく、薄いガラスフィルムであってもよい。各透明フィルムの材料は、同じものであってもよく、異なるものであってもよい。
【００３１】
透明樹脂フィルムを構成する透明樹脂としては、ポリカーボネート、ポリエステル（ポリエチレンテレフタレート、ポリエチレンナフタレート等）、トリアセチルセルロース、シクロオレフィンポリマー、ポリメチルメタクリレート等が挙げられる。
【００３２】
透明フィルムの厚さは、ロールツーロールプロセスを適用できる厚さが好ましく、たとえば、０．０１〜０．５ｍｍが好ましく、０．０５〜０．３ｍｍがより好ましく、０．２ｍｍ以下がさらに好ましい。
【００３３】
（透明層）
第１の透明層３２および第２の透明層３４（以下、まとめて透明層とも記す。）は、透明樹脂層であることが好ましい。各透明層の材料は、同じものであってもよく、異なるものであってもよく、同じものが好ましい。
【００３４】
透明樹脂層を構成する透明樹脂としては、光硬化性樹脂（アクリル樹脂、エポキシ樹脂等）の硬化物、熱硬化性樹脂の硬化物、熱可塑性樹脂が好ましい。透明樹脂層を構成する透明樹脂のイエローインデックスは、映像表示透明部材における窓としての機能が損なわれないように透明感を維持する点から、１０以下が好ましく、５以下がより好ましい。
【００３５】
透明層の厚さ（凹凸構造が形成された部分を除く）は、ロールツーロールプロセスにて形成しやすい厚さであればよく、たとえば、０．５〜５０μｍが好ましい。
透明層の透過率は、５０〜１００％が好ましく、７５〜１００％がより好ましく、９０〜１００％がさらに好ましい。
【００３６】
第１の透明層３２の表面に形成された不規則な凹凸構造の算術平均粗さＲａは、０．０１〜２０μｍが好ましく、０．０５〜１０μｍがより好ましい。算術平均粗さＲａが該範囲内であれば、投影された映像の視野角が広く、正反射光を直接見ずに視認でき、凹凸構造による粒状感が抑えられる。算術平均粗さＲａが１０μｍ以下であれば、映像表示透明部材１の向こう側の光景を見るときに凹凸構造が邪魔にならずより好ましい。
【００３７】
また、本発明のように、映像表示透明部材１に表示された映像の投影機２００に最も近い部分における、映像表示透明部材１の第１の面Ａへの映像光の入射角αが大きい場合、投影機２００から遠い部分における入射角は、さらに大きくなる。そのため、投影機２００から遠い部分においては、反射膜３３で散乱し、観察者Ｘへ向かう散乱光が少なくなり輝度は低くなる。その結果、映像表示透明部材１に表示される映像に輝度ムラが生じる。凹凸構造の算術平均粗さＲａが０．２μｍ以上であれば、投影機２００から遠い部分における輝度の低下が抑えられ、映像の輝度ムラが抑えられる。凹凸構造の算術平均粗さＲａが０．４μｍ以上であれば、映像の輝度ムラが抑えられ、さらに好ましい。
また、凹凸構造の算術平均粗さは、第１の透明層３２の表面の場所によって異なっていてもよい。たとえば、投影機２００から近い部分における算術平均粗さと遠い部分の算術平均粗さに傾斜を持たせることにより、映像の輝度ムラが抑えられる。この場合、算術平均粗さは、投影機２００から遠い方が大きくなるようにすると好ましい。
また、算術平均粗さではなく、凹凸のアスペクト比が投影機２００から遠い方が大きくなると好ましい。
また、算術平均粗さではなく、凹凸のピッチが投影機２００から遠い方が小さくなると好ましい場合もある。
【００３８】
（反射膜）
反射膜３３は、反射膜３３に入射した光の一部を透過し、他の一部を反射するものであればよい。反射膜３３としては、金属膜、半導体膜、誘電体単層膜、誘電体多層膜、これらの組み合わせ等が挙げられる。
【００３９】
金属膜、半導体膜を構成する金属としては、アルミニウム、銀、ニッケル、クロム、タングステン、ケイ素等が挙げられ、アルミニウム、銀、または、それらが主成分である合金が好ましい。
誘電体膜を構成する誘電体としては、金属酸化物、金属窒化物等が挙げられる。
反射膜３３としては、金属薄膜、または、酸化物膜、金属薄膜、酸化物膜の順に積層された膜構成のものが好ましい。
【００４０】
反射膜３３の厚さは、第１の透明層３２の表面に形成された不規則な凹凸構造の算術平均粗さＲａによる機能を妨げずに活かすことができる点から、１〜１００ｎｍが好ましく、４〜２５ｎｍがより好ましい。
反射膜３３の反射率は、充分なスクリーンゲインが得られる範囲としては、５％以上が好ましく、１５％以上がより好ましく、３０％以上がさらに好ましい。
反射膜３３の反射率は、反射膜３３の表面の場所によって異なっていてもよい。たとえば、投影機２００から近い部分では、反射率が小さく、遠い部分では、反射率が高くなるように傾斜を持たせることにより、映像の輝度ムラが抑えられる。
また、映像表示透明部材１の表面の場所によって反射率または視野角を変化させるために、反射膜３３の膜厚が映像表示透明部材１の場所によって異なっていてもよい。たとえば、投影機２００から近い部分における反射膜３３の膜厚と遠い部分における反射膜３３の膜厚に傾斜を持たせることにより、映像の輝度ムラが抑えられる。特に、金属膜の場合は、膜厚を厚くすると反射率が高くなる現象を利用してもよい。
また、反射膜３３の膜厚を映像表示透明部材１の場所によって異ならせた場合に、映像表示透明部材１の透過率が面内で一様になるように、（ｉ）映像表示透明部材１に吸収材料層をさらに設ける、または、映像表示透明部材１を構成する基材および層のいずれかに吸収材料を用いることによって、映像表示透明部材１の場所によって吸光係数に傾斜を持たせたり、（ｉｉ）映像表示透明部材１の厚さに傾斜を持たせたりして、反射率の面内の変化によってできた透過率の変化を打ち消すとよい。
【００４１】
（光散乱シートの製造方法）
光散乱シート３０の製造方法の一例を図２を参照しながら説明する。
【００４２】
図２（ａ）に示すように、第１の透明フィルム３１の表面に、光硬化性樹脂３６を塗布し、不規則な凹凸構造が表面に形成されたモールド６１を、凹凸構造が光硬化性樹脂３６に接するように、光硬化性樹脂３６の上に重ねる。
【００４３】
第１の透明フィルム３１の側から光（紫外線等）を照射し、光硬化性樹脂３６を硬化させて、モールド６１の不規則な凹凸構造が表面に転写された第１の透明層３２を形成した後、図２（ｂ）に示すように、モールド６１を剥離する。
【００４４】
図２（ｃ）に示すように、第１の透明層３２の表面に金属を物理蒸着し、金属薄膜からなる反射膜３３を形成する。
【００４５】
図２（ｄ）に示すように、反射膜３３の表面に光硬化性樹脂３７を塗布し、光硬化性樹脂３７の上に第２の透明フィルム３５を重ねる。
第１の透明フィルム４１の側または第２の透明フィルム３５の側から光（紫外線等）を照射し、光硬化性樹脂３７を硬化させて、第２の透明層３４を形成することによって、光散乱シート３０を得る。
【００４６】
モールド６１としては、不規則な凹凸構造が表面に形成された樹脂フィルム、金属板等が挙げられる。不規則な凹凸構造が表面に形成された樹脂フィルムとしては、微粒子を含む樹脂フィルム、サンドブラスト処理された樹脂フィルム等が挙げられる。
光硬化性樹脂の塗布方法としては、ダイコート法、ブレードコート法、グラビアコート法、スピンコート法、インクジェット法、スプレーコート法等が挙げられる。
物理蒸着方法としては、真空蒸着法、スパッタリング法等が挙げられる。
【００４７】
（反射型の映像表示透明部材の光学特性）
映像表示透明部材１の透過率は、観察者側から見て映像表示透明部材１の向こう側に見える光景の視認性がよい点から、５％以上が好ましく、１０％以上がより好ましく、１５％以上がさらに好ましい。
映像表示透明部材１の透過率は、スクリーンゲイン（輝度）を適切に保つ点から、９０％以下が好ましく、８０％以下がより好ましく、７５％以下がさらに好ましい。
【００４８】
映像表示透明部材１の第１の面Ａにおける表面の反射率は、映像光Ｌの反射を抑える点から、５％以下が好ましく、２％以下がより好ましく、１％以下がさらに好ましい。
【００４９】
映像表示透明部材１の反射率は、１０％以上であり、３０％以上が好ましい。映像表示透明部材１の反射率が１０％以上であれば、特に、正反射光から０．０４４ｒａｄ（２．５°）以上それた反射光において、このあたりの反射率が得られると人間の視感度的に変化が分かりにくくなるため、充分なスクリーンゲインを得られる。
【００５０】
本発明においては、短焦点プロジェクタを用いることによって、映像表示透明部材１の第１の面Ａへの映像光Ｌの入射角が大きくなり、映像光Ｌの光量の強い領域が映像表示透明部材１を大きな出射角で透過、または映像表示透明部材１の第１の面Ａにて大きな出射角で正反射することによって観察者に到達しにくくなる。しかし、映像光Ｌの入射角が大きくなるため、透過光Ｔが映像表示透明部材１付近の床や天井に到達してしまう。そして、透過光Ｔが床や天井に到達することによって床や天井で散乱された光が、映像表示透明部材１に映りこんで、映像のコントラストの低下を引き起こす。
本発明においては、映像表示透明部材１の反射率を上記程度に高くすることによって、床や天井に到達する透過光Ｔの光量を減少させ、また、透過光Ｔが床や天井に到達することによって床や天井で散乱した光が、映像表示透明部材１を透過して写りこむ光量を低下させることができ、映像表示透明部材１に表示される映像のコントラストの低下を防ぐことができる。特に、映像表示透明部材１に表示された映像の投影機２００に最も遠い部分における映像光Ｌの入射角が５０度以上である場合は、透過光Ｔが映像表示透明部材１付近の床や天井に到達するのみでなく、床や天井で散乱された光のうち、比較的光量の多い領域である、正規反射角度からの角度差が９０度未満の光が映像表示透明部材１へ到達するため、上記の効果が高くなる。
【００５１】
映像表示透明部材１の前方ヘーズは、観察者側から見て映像表示透明部材１の向こう側に見える光景の視認性の点から、５０％以下であり、３０％以下が好ましく、２０％以下がより好ましい。
【００５２】
映像表示透明部材１の後方ヘーズは、スクリーンゲイン、およびコントラストの確保の点から、５％以上であり、１５％以上が好ましく、３０％以上がより好ましく、５０％以上がさらに好ましい。
映像表示透明部材１の後方ヘーズは、観察者側から見て映像表示透明部材１の向こう側に見える光景の視認性の点から、９０％以下が好ましく、８０％以下がより好ましい。
【００５３】
映像表示透明部材１における隣り合う各層間の屈折率差は、各層界面における反射率が０．５％以内に抑えられる点から、０．２以内が好ましく、各層界面での反射率が０．１％程度となる点から、０．１以内がより好ましい。
【００５４】
（反射型の映像表示透明部材を用いた映像表示方法）
本発明の映像表示方法の第１の態様は、反射型の映像表示透明部材に、映像表示透明部材の第１の面側に設置された投影機から映像光を投射し、映像を表示させる映像表示方法である。
【００５５】
図１に示すように、投影機２００から投射され、映像表示透明部材１の第１の面Ａから入射した映像光Ｌが、反射膜３３において散乱することによって結像し、投影機２００と同じ側にいる観察者Ｘに映像として視認可能に表示できる。
また、映像表示透明部材１における反射膜３３が入射した光の一部を透過するため、第１の面Ａ側の光景を第２の面Ｂ側の観察者Ｙに視認可能に透過でき、かつ第２の面Ｂ側の光景を第１の面Ａ側の観察者Ｘに視認可能に透過できる。
【００５６】
（作用機序）
以上説明した反射型の映像表示透明部材１を用いた本発明の映像表示システムおよび映像表示方法にあっては、短焦点プロジェクタを用いることにより、光軸方向に焦点位置とずれた場所においても、光量の密度が高い状態となる映像の中央付近の光が、映像表示透明部材の第１の面Ａにおいて正反射した反射光Ｒの出射角、および結像せずに反射膜３３を透過した透過光Ｔの出射角が大きくなる。そのため、反射光Ｒや透過光Ｔが観察者Ｘや観察者Ｙの目に入りにくく、投影機２００から投射された映像光Ｌに由来する反射光Ｒや透過光Ｔによる眩しさを観察者Ｘや観察者Ｙが感じにくい。また、眩しさを抑えるために、第１の面Ａおよび反射膜３３の散乱度を高く設定する必要がないため、前方ヘーズを５０％以下にすることができ、観察者Ｘや観察者Ｙ側から見て映像表示透明部材１の向こう側に見える光景の視認性を低下させることがない。
ただし、短焦点プロジェクタを用いることで、映像表示透明部材１の第１の面Ａへの映像光Ｌの入射角が大きくなるため、透過光Ｔが映像表示透明部材１付近の床や天井に到達するようになる。そして、透過光Ｔが床や天井に到達することによって床や天井で散乱された光は、映像表示透明部材１に映りこんで、映像のコントラストの低下を引き起こす。そのため、映像表示透明部材１の反射率を１０％以上にすることによって、床や天井に到達する透過光Ｔの光量を減少させ、また、透過光Ｔが床や天井に到達することによって床や天井で散乱した光が、映像表示透明部材１を透過して写りこむ光量を低下させることができ、映像表示透明部材１に表示される映像のコントラストの低下を防ぐことができる。
また、短焦点プロジェクタを用いることで、映像表示透明部材１の第１の面Ａへの入射角が大きくなるため、反射膜３３で散乱し、観察者Ｘへ向かう散乱光が少なくなくなり輝度が低くなる領域が発生する。そこで、後方ヘーズが５％以上である映像表示透明部材１を用いることで、各領域において適切なスクリーンゲインが得られ、映像表示透明部材１の映像表示位置によらず、映像を視認することができるようになる。
【００５７】
（他の実施形態）
なお、本発明における反射型の映像表示透明部材は、第１の面およびこれとは反対側の第２の面を有する透明部材であり、第１の面側の光景を第２の面側の観察者に視認可能に透過し、第２の面側の光景を第１の面側の観察者に視認可能に透過し、かつ第１の面側から投射された映像光を第１の面側の観察者に映像として視認可能に表示する映像表示透明部材であればよく、図１の映像表示透明部材１に限定はされない。以下、図１の映像表示透明部材１と同じ構成のものについては同じ符号を付し、説明を省略する。
【００５８】
反射型の映像表示透明部材は、図３に示すように、第１の透明基材１０を省略した映像表示透明部材２であってもよい。映像表示透明部材２の具体例としては、たとえば、第２の透明基材２０が既存の窓ガラス等である例、すなわち光散乱シート３０を、既存の窓ガラス等に貼り付けた例が挙げられる。
また、図１の映像表示透明部材１において、第２の透明基材２０を省略したものであってもよい。
また、２枚のガラス板と、ガラス板間に空隙が形成されるようにガラス板の周縁部に介在配置された枠状のスペーサとを有する複層ガラスにおいて、一方のガラス板の内面に、光散乱シート３０を貼り付けたものであってもよい。
【００５９】
反射型の映像表示透明部材は、図４に示すように、第１の透明基材１０および第２の透明基材２０を省略した映像表示透明部材３、すなわち光散乱シート３０そのものであってもよい。映像表示透明部材３は、接着層を用いて既存の窓ガラス等への貼り付けが可能である。また、映像表示透明部材３は、変形させることが可能であり、曲面を有する映像表示透明部材を形成するのに向いている。
また、図４の映像表示透明部材３において、第１の透明フィルム３１および第２の透明フィルム３５を第１の透明基材１０および第２の透明基材２０に置き換えたものであってもよい。
【００６０】
反射型の映像表示透明部材においては、投影機からの映像光を第２の透明基材側に投射してもよい。この場合、第２の透明基材側の表面が第１の面Ａとなる。
また、光散乱シート３０の第２の透明フィルム３５が、投影機２００側となるように、光散乱シート３０を配置してもよい。
【００６１】
光散乱シートにおいて、透明フィルムがなくても光散乱シートがその形状を保つことができる場合は、必ずしも光散乱シートに透明フィルムを設ける必要はない。
反射型の映像表示透明部材においては、第１の面および第２の面のいずれか一方または両方に、反射防止フィルムを設けてもよい。
【００６２】
反射型の映像表示透明部材においては、第１の透明層の表面の凹凸構造が規則的な凹凸構造（マイクロレンズアレイ等）であってもよい。ただし、下記の理由から、第１の透明層の表面の凹凸構造は、不規則な凹凸構造であることが好ましい。
規則的な凹凸構造（マイクロレンズアレイ等）の表面に反射膜を形成した場合、光の回折によって観察者側から見て映像表示透明部材の向こう側に見える光景に色むらが生じたり、分光によって観察者側から見て映像表示透明部材の向こう側に見える光景のエッジ部分が虹色に見えたりして、視認性が損なわれる。一方、不規則な凹凸構造の表面に反射膜を形成した場合、光の回折や分光が起こりにくく、これらの問題が生じにくい。そのため、映像表示透明部材を見る方向や場所、入射する光の向きによって色目が変わるような現象が抑えられ、また、映像表示透明部材の向こう側に見える光景の分光が抑えられる。その結果、映像表示透明部材の向こう側に見える光景の視認性や、光景や映像の色再現性に優れ、視線を邪魔しない透明スクリーンとしての性質を備えることができる。
【００６３】
また、反射膜付の凹凸構造、凹凸を埋め込んだ後のものの他の例としては、ハーフミラーに散乱材料を積層したもの；体積ホログラムによって、反射、偏向、拡散されるもの；キノフォーム型ホログラム、その他凹凸表面やその表面に反射膜を形成した構成によって、偏向、反射、拡散されるもの；コレステリック液晶、高分子コレステリック液晶を利用したもの（凹凸構造の表面に配向、形成したコレステリック液晶、高分子コレステリック液晶の表面にエッチング等で凹凸をつけたもの、水平配向と垂直配向の基材にてコレステリック液晶の液晶層を形成したもの、コレステリック液晶に界面活性剤を添加したものを基材上に塗布して、塗布表面を垂直配光させたもの、または、塗布表面の配向性を落としたもの）等が挙げられる。
また、反射膜がなくても、第１の透明基材１０が凹凸構造のみで充分に光を反射、散乱できる場合は、必ずしも反射膜を設ける必要はない。
【００６４】
＜透過型の映像表示透明部材を備えた映像表示システム＞
本発明の映像表示システムの第２の態様は、透過型の映像表示透明部材と、映像表示透明部材の第１の面側に設置された投影機とを備えた映像表示システムである。
【００６５】
図５は、本発明の映像表示システムの他の例を示す概略構成図である。
映像表示システムは、透過型の映像表示透明部材４と、映像表示透明部材４の第１の面Ａ側に設置された投影機２００とを備える。
【００６６】
（投影機）
投影機２００は、映像表示透明部材４に映像光Ｌを投射できる短焦点プロジェクタである。
短焦点プロジェクタを用いることによって、光軸方向に焦点位置とずれた場所においても、光量の密度が高い状態となる映像の中央付近の光が、映像表示透明部材４の第１の面Ａにおいて正反射した反射光Ｒの出射角、および結像せずに光散乱部４３を透過した透過光Ｔの出射角が大きくなるため、反射光Ｒや透過光Ｔが観察者Ｘや観察者Ｙの目に入りにくい。
【００６７】
投影機２００は、映像表示透明部材４に表示された映像の投影機２００に最も近い部分における、映像表示透明部材４の第１の面Ａへの映像光の入射角αが１５〜６０度となるように、映像表示透明部材４の第１の面Ａ側に設置されるのが好ましい。入射角αが１５度以上であれば、第１の面Ａにおいて正反射した反射光Ｒの出射角、および結像せずに光散乱部４３を透過した透過光Ｔの出射角が大きくなるため、反射光Ｒや透過光Ｔが観察者Ｘや観察者Ｙの目に入りにくい。入射角αが６０度以下であれば、映像表示透明部材４における輝度の低下が抑えられる。すなわち、映像光Ｌの入射角が小さければ、光散乱部４３で散乱し、観察者Ｙへ向かう散乱光が多くなり輝度は高くなるが、映像光Ｌの入射角が大きければ、光散乱部４３で散乱し、観察者Ｙへ向かう散乱光が少なくなり輝度は低くなる。入射角αは、２０〜５０度が好ましく、３０〜４５度がより好ましい。
投影機２００から投射される映像光Ｌは、投影機２００から離れるほど入射角が大きくなり、より正反射から離れる角度方向に散乱されなければ、観察者Ｙによって視認されない。そのため、オリジナルの映像に対して、投影機２００に近い方の光量が小さく、投影機２００に遠い方の光量が大きくなるようにして、観察者Ｙへ到達する光量がオリジナルの映像と同等の光量分布となるように、補正してもよい。
また、映像表示透明部材４に表示された映像の中心部分における、映像表示透明部材４の第１の面Ａへの映像光Ｌの入射角は、３０度以上であってもよい。該入射角が３０度以上であれば、映像表示透明部材４に表示された映像の中心付近における、映像を形成しない強度高い光を観察者が広い範囲で視認しづらくなる。該入射角は、４５度以上がより好ましい。
【００６８】
（透過型の映像表示透明部材）
透過型の映像表示透明部材は、第１の面およびこれとは反対側の第２の面を有する透明部材であり、第１の面側の光景を第２の面側の観察者に視認可能に透過し、第２の面側の光景を第１の面側の観察者に視認可能に透過し、かつ第１の面側から投射された映像光を第２の面側の観察者に映像として視認可能に表示する映像表示透明部材である。
【００６９】
図５は、透過型の映像表示透明部材の一例を示す層構成図である。以下、図１の映像表示透明部材１と同じ構成のものについては同じ符号を付し、説明を省略する。
映像表示透明部材４は、第１の透明基材１０と、第２の透明基材２０との間に、光散乱シート４０が配置されたものである。
第１の透明基材１０と光散乱シート４０とは、接着層１２によって接着され、第２の透明基材２０と光散乱シート４０とは、接着層２２によって接着されている。
【００７０】
（光散乱シート）
光散乱シート４０は、第１の透明フィルム４１と；第１の透明フィルム４１の表面に設けられた透明層４２と；透明層４２の内部に互いに平行に、かつ所定の間隔で配置された、面方向に沿って延びる、長手方向に直交する方向の断面が直角三角形の複数の光散乱部４３と；透明層４２の表面に設けられた第２の透明フィルム４５とを有する。以下、このようにストライプ状に一次元方向に延びる複数の光散乱部４３が形成されている構造をルーバー構造と記載する場合がある。
【００７１】
（透明フィルム）
第１の透明フィルム４１および第２の透明フィルム４５（以下、まとめて透明フィルムとも記す。）は、透明樹脂フィルムであってもよく、薄いガラスフィルムであってもよい。各透明フィルムの材料は、同じものであってもよく、異なるものであってもよい。
透明フィルムとしては、上述した光散乱シート３０の透明フィルムと同様のものを用いればよい。
【００７２】
（透明層）
透明層４２は、透明樹脂層であることが好ましい。
透明樹脂層を構成する透明樹脂としては、上述した光散乱シート３０の透明樹脂層を構成する透明樹脂と同様のものを用いればよい。
【００７３】
透明層４２の厚さは、１０〜２００μｍが好ましい。透明層４２の厚さが１０μｍ以上であれば、光散乱部４３の間隔も１０μｍ以上となり、ルーバーの構造の効果が充分に発揮される。透明層４２の厚さが２００μｍ以下であれば、ロールツーロールプロセスにて透明層４２を形成しやすい。
【００７４】
（光散乱部）
光散乱部４３は、たとえば、透明樹脂、光散乱材料、および必要に応じて光吸収材料を含む。
【００７５】
光散乱部４３に含まれる透明樹脂としては、光硬化性樹脂（アクリル樹脂、エポキシ樹脂等）の硬化物、熱硬化性樹脂の硬化物、熱可塑性樹脂が挙げられる。光散乱部４３に含まれる透明樹脂は、透明層４２を構成する透明樹脂と同一であってもよく、異なってもよい。
【００７６】
光散乱材料としては、酸化チタン（屈折率：２．５〜２．７）、酸化ジルコニウム（屈折率：２．４）、酸化アルミニウム（屈折率：１．７６）等の高屈折率材料の微粒子；ポーラスシリカ（屈折率：１．３以下）、中空シリカ（屈折率：１．３以下）等の低屈折率材料の微粒子；前記透明樹脂との相溶性の低い屈折率が異なる樹脂材料；結晶化した１μｍ以下の樹脂材料等が挙げられる。
【００７７】
光散乱材料の濃度は、０．０１〜５体積％が好ましく、０．０５〜１体積％がより好ましい。
光散乱材料が微粒子である場合、微粒子の平均粒子径は、０．０５〜１μｍが好ましく、０．１５〜０．８μｍがより好ましい。微粒子の平均粒子径が、散乱する光の波長と同程度かやや小さいと、前方に散乱される確率が大きくなり、入射した光を屈折させずに散乱させる機能が強くなる。その結果、観察者側から見て映像表示透明部材４の向こう側に見える光景の歪みを抑制し、急激に光量を変化させることがないため、光景の視認性が向上する。
【００７８】
光散乱部４３が光吸収材料を含む場合、映像表示透明部材４内を不要な迷光として伝搬する光の一部を吸収することができ、散乱される光が減少する。そのため、映像表示透明部材４において白濁して見える現象を抑え、映像のコントラストが向上し、映像の視認性が向上する。また、観察者側から見て映像表示透明部材４の向こう側に見える光景のコントラストも向上し、光景の視認性も向上する。特に、外光によって１００ルクス以上の環境が、観察者の視線の中に存在する場合には、前記効果を得やすい。
光吸収材料としては、カーボンブラック、チタンブラック等が挙げられる。
光吸収材料の濃度は、０．０１〜１０体積％が好ましく、０．１〜３体積％がより好ましい。
【００７９】
光散乱部４３の間隔（隣り合う光散乱部４３の中心間距離）は、１０〜２５０μｍが好ましく、１０〜１００μｍがより好ましい。光散乱部４３の間隔が１０μｍ以上であれば、光散乱部４３を形成しやすい。光散乱部４３の間隔が２５０μｍ以下であれば、光散乱部４３を視認しにくい。
【００８０】
光散乱部４３の幅（光散乱シート４０の面方向かつ光散乱部４３の長手方向に直交する方向）は、光散乱部４３の間隔の１０〜７０％が好ましく、２５〜５０％がより好ましい。光散乱部４３の幅が光散乱部４３の間隔の１０％以上であれば、光散乱部４３を形成しやすい。光散乱部４３の幅が光散乱部４３の間隔の７０％以下であれば、光散乱部４３の透過率、および観察者側から見て映像表示透明部材４の向こう側に見える光景の視認性が向上する。
【００８１】
光散乱部４３の幅に対する光散乱部４３の高さ（光散乱シート４０の面方向に直交する方向）の比、すなわちアスペクト比は、光景の直進光の透過率を維持しながら、斜入射する映像光Ｌを高ゲインにて散乱させる点から、１以上が好ましく、１．５以上がより好ましく、２以上がさらに好ましい。
【００８２】
（光散乱シートの製造方法）
光散乱シート４０の製造方法の一例を図６を参照しながら説明する。
【００８３】
図６（ａ）に示すように、第１の透明フィルム４１の表面に、光硬化性樹脂４６を塗布し、光散乱部４３に対応した断面直角三角形の複数の凸条が表面に形成されたモールド６２を、凸条が光硬化性樹脂４６に接するように、光硬化性樹脂４６の上に重ねる。
【００８４】
第１の透明フィルム４１の側から光（紫外線等）を照射し、光硬化性樹脂４６を硬化させて、モールド６２の凸条に対応する溝４４が表面に形成された透明層下層４２ａを形成した後、図６（ｂ）に示すように、モールド６２を剥離する。
【００８５】
図６（ｃ）に示すように、透明層下層４２ａの表面に、光硬化性樹脂、光散乱材料、および必要に応じて光吸収材料を含むペーストを供給し、余剰分をドクターブレードでかき取ることによって、透明層下層４２ａの溝４４にペースト４８を埋め込む。光（紫外線等）を照射し、ペースト４８を硬化させて、光散乱部４３を形成する
【００８６】
図６（ｄ）に示すように、透明層下層４２ａの表面および光散乱部４３の表面に光硬化性樹脂４７を塗布し、光硬化性樹脂４７の上に第２の透明フィルム４５を重ねる。
第１の透明フィルム４１の側または第２の透明フィルム４５の側から光（紫外線等）を照射し、光硬化性樹脂４７を硬化させて、透明層上層を形成することによって、光散乱シート４０を得る。
【００８７】
モールド６２としては、複数の凸部が表面に形成された樹脂フィルム、金属板等が挙げられる。
光硬化性樹脂の塗布方法としては、ダイコート法、ブレードコート法、グラビアコート法、スピンコート法、インクジェット法、スプレーコート法等が挙げられる。
【００８８】
（透過型の映像表示透明部材の光学特性）
映像表示透明部材４の透過率は、観察者側から見て映像表示透明部材４の向こう側に見える光景の視認性がよい点から、５％以上が好ましく、１０％以上がより好ましく、１５％以上がさらに好ましい。
【００８９】
映像表示透明部材４の反射率は、１５％以下であり、１０％以下がより好ましい。
本発明においては、短焦点プロジェクタを用いることによって、映像表示透明部材４の第１の面Ａへの映像光Ｌの入射角が大きくなり、映像光Ｌの光量の強い領域が映像表示透明部材４を大きな出射角で透過、または映像表示透明部材１の第１の面Ａにて大きな出射角で正反射することによって観察者に到達しにくくなる。しかし、映像光Ｌの入射角が大きくなるため、透過光Ｔが映像表示透明部材４付近の床や天井に到達してしまう。そして、透過光Ｔが床や天井に到達することによって床や天井で散乱された光が、映像表示透明部材４に映りこみ、その反射光を観察者が視認することによって、映像のコントラストの低下を引き起こす。
本発明においては、映像表示透明部材４の反射率を上記程度に低くすることによって、透過光Ｔが床や天井に到達することによって床や天井で散乱した光が、映像表示透明部材４に反射して写りこむ光量を低下させることができ、映像表示透明部材４に表示される映像のコントラストの低下を防ぐことができる。特に、映像表示透明部材４に表示された映像の投影機２００に最も遠い部分における映像光Ｌの入射角が５０度以上である場合は、透過光Ｔが映像表示透明部材４付近の床や天井に到達するのみでなく、床や天井で散乱された光のうち、比較的光量の多い領域である、正規反射角度からの角度差が９０度未満の光が映像表示透明部材４へ到達するため、上記の効果が高くなる。
【００９０】
映像表示透明部材４の前方ヘーズは、スクリーンゲインの確保および視野角の確保の点から、４％以上が好ましく、５％以上がより好ましく、８％以上がさらに好ましい。
映像表示透明部材４の前方ヘーズは、観察者側から見て映像表示透明部材４の向こう側に見える光景の視認性の点から、５０％以下が好ましく、３０％以下がより好ましく、２０％以下がさらに好ましい。
【００９１】
映像表示透明部材４における透明層４２の屈折率と光散乱部４３の屈折率との差は、０．０１以下が好ましく、０．００５以下がより好ましく、０．００１以下がさらに好ましい。透明層４２の屈折率と光散乱部４３の屈折率との差が大きいと、観察者側から見て映像表示透明部材４の向こう側に見える光景が多重に見える。虹ムラや光景の分光を抑える点から、透明層４２と光散乱部４３は同じ屈折率であることが好ましい。
【００９２】
映像表示透明部材４における透明フィルムの屈折率と透明層４２の屈折率との差も、できるだけ小さいことが好ましい。透明フィルムの屈折率と透明層４２の屈折率との差は、０．１以下が好ましく、０．０５以下がより好ましく、０．０１以下がさらに好ましく、０．００１以下が特に好ましい。
【００９３】
（透過型の映像表示透明部材を用いた映像表示方法）
本発明の映像表示方法の第２の態様は、透過型の映像表示透明部材に、映像表示透明部材の第１の面側に設置された投影機から映像光を投射し、映像を表示させる映像表示方法である。
【００９４】
図５に示すように、投影機２００から投射され、映像表示透明部材４の第１の面Ａから入射した映像光Ｌが、光散乱部４３において散乱することによって結像し、投影機２００と反対側にいる観察者Ｙに映像として視認可能に表示される。
また、映像表示透明部材４における光散乱部４３間の間隙が光を透過するため、第１の面Ａ側の光景を第２の面Ｂ側の観察者Ｙに視認可能に透過でき、かつ第２の面Ｂ側の光景を第１の面Ａ側の観察者Ｘに視認可能に透過できる。
【００９５】
（作用機序）
以上説明した透過型の映像表示透明部材４を用いた本発明の映像表示システムおよび映像表示方法にあっては、短焦短プロジェクタを用いることにより、光軸方向に焦点位置とずれた場所においても、光量の密度が高い状態となる映像の中央付近の光が、映像表示透明部材の第１の面Ａにおいて正反射した反射光Ｒの出射角、および結像せずに光散乱部４３を透過した透過光Ｔの出射角が大きくなる。そのため、反射光Ｒや透過光Ｔが観察者Ｘや観察者Ｙの目に入りにくく、投影機２００から投射された映像光Ｌに由来する反射光Ｒや透過光Ｔによる眩しさを観察者Ｘや観察者Ｙが感じにくい。また、眩しさを抑えるために、第１の面Ａおよび光散乱部４３の散乱度を高く設定する必要がないため、前方ヘーズを４０％以下にすることができ、観察者Ｘや観察者Ｙ側から見て映像表示透明部材４の向こう側に見える光景の視認性を低下させることがない。
ただし、短焦点プロジェクタを用いることで、映像表示透明部材４の第１の面Ａへの映像光Ｌの入射角が大きくなるため、透過光Ｔが映像表示透明部材４付近の床や天井に到達するようになる。そして、透過光Ｔが床や天井に到達することによって床や天井で散乱された光は、映像表示透明部材４に映りこんで、映像のコントラストの低下を引き起こす。そのため、映像表示透明部材４の反射率を１５％以下にすることによって、透過光Ｔが床や天井に到達することによって床や天井で散乱した光が、映像表示透明部材４に反射して写りこむ光量を低下させることができ、映像表示透明部材４に表示される映像のコントラストの低下を防ぐことができる。
また、短焦点プロジェクタを用いることで、映像表示透明部材４の第１の面Ａへの入射角が大きくなるため、光散乱部４３で散乱し、観察者Ｙへ向かう散乱光が少なくなくなり輝度が低くなる領域が発生する。そこで、前方ヘーズが、４％以上である映像表示透明部材４を用いることで、各領域において適切なスクリーンゲインが得られ、映像表示透明部材４の映像表示位置に依らず、映像を視認することができるようになる。
【００９６】
（他の実施形態）
なお、本発明における透過型の映像表示透明部材は、第１の面およびこれとは反対側の第２の面を有する透明部材であり、第１の面側の光景を第２の面側の観察者に視認可能に透過し、第２の面側の光景を第１の面側の観察者に視認可能に透過し、かつ第１の面側から投射された映像光を第２の面側の観察者に映像として視認可能に表示する映像表示透明部材であればよく、図５の映像表示透明部材４に限定はされない。以下、図５の映像表示透明部材４と同じ構成のものについては同じ符号を付し、説明を省略する。
【００９７】
透過型の映像表示透明部材は、図７に示すように、第１の透明基材１０を省略した映像表示透明部材５であってもよい。映像表示透明部材５の具体例としては、たとえば、第２の透明基材２０が既存の窓ガラス等である例、すなわち光散乱シート４０を、既存の窓ガラス等に貼り付けた例が挙げられる。
また、図５の映像表示透明部材４において、第２の透明基材２０を省略したものであってもよい。
また、２枚のガラス板と、ガラス板間に空隙が形成されるようにガラス板の周縁部に介在配置された枠状のスペーサとを有する複層ガラスにおいて、一方のガラス板の内面に、光散乱シート４０を貼り付けたものであってもよい。
【００９８】
透過型の映像表示透明部材は、図８に示すように、第１の透明基材１０および第２の透明基材２０を省略した映像表示透明部材６、すなわち光散乱シート４０そのものであってもよい。映像表示透明部材６は、接着層を用いて既存の窓ガラス等への貼り付けが可能である。また、映像表示透明部材６は、変形させることが可能であり、曲面を有する映像表示透明部材を形成するのに向いている。
また、図８の映像表示透明部材６において、第１の透明フィルム４１および第２の透明フィルム４５を第１の透明基材１０および第２の透明基材２０に置き換えたものであってもよい。
【００９９】
光散乱シートにおいて、透明フィルムがなくても光散乱シートがその形状を保つことができる場合は、必ずしも光散乱シートに透明フィルムを設ける必要はない。
透過型の映像表示透明部材においては、第１の面および第２の面のいずれか一方または両方に、反射防止フィルムを設けてもよい。
【０１００】
透過型の映像表示透明部材においては、光散乱部４３の長手方向に直交する断面の形状は、図示例のような直角三角形に限定されず、他の三角形、台形、釣鐘形状等であってもよい。
光散乱シートの他の例としては、体積ホログラムによって、透過、偏向、拡散されるもの；キノフォーム型ホログラム、その他凹凸表面を形成した構成によって、偏向、散乱、拡散されるもの等が挙げられる。
【０１０１】
また、光散乱シートとしては、透明層内に図示例のような複数の光散乱部を設けることなく、透明層全体に光散乱微粒子を分散させて透明層自体を光散乱層としたものであってもよい。
光散乱微粒子としては、上述した酸化チタン、酸化ジルコニウム、酸化アルミニウム等の高屈折率材料の微粒子；ポーラスシリカ、中空シリカ等の低屈折率材料の微粒子等が挙げられる。光散乱微粒子の濃度は、０．０１〜５体積％が好ましく、０．０５〜１体積％がより好ましい。光散乱微粒子の平均粒子径は、上述した理由から、５０〜１０００ｎｍが好ましく、１００〜８００ｎｍがより好ましい。
光散乱層は、上述した理由から、光吸収材料を含んでいてもよい。光吸収材料の濃度は、０．０１〜５体積％が好ましく、０．１〜３体積％がより好ましい。
【実施例】
【０１０２】
以下に実施例を用いて本発明をさらに詳しく説明するが、本発明はこれら実施例に限定されるものではない。
例１、３、４は実施例であり、例２、５は比較例である。
【０１０３】
（例１）
透明なポリエチレンテレフタレート（以下、ＰＥＴと記す。）フィルム（東洋紡社製、コスモシャイン（登録商標）Ａ４３００、厚さ：０．１ｍｍ）の表面に、紫外線硬化性樹脂（大阪ガスケミカル社製、オグソール（登録商標）ＥＡ−Ｆ５００３）１００質量部に対し、光開始剤（ＢＡＳＦ社製、イルガキュア（登録商標）９０７）を３質量部混合した溶液をダイコート法によって１０μｍの厚みに塗布した。
不規則な凹凸構造が表面に形成された白色ＰＥＴフィルム（東レ社製、Ｅ２０、算術平均粗さＲａ：０．２３μｍ）を、凹凸構造が紫外線硬化性樹脂に接するように、紫外線硬化性樹脂の上に重ねた。
【０１０４】
透明ＰＥＴフィルムの側から１０００ｍＪの紫外線を照射し、紫外線硬化性樹脂を硬化させて、白色ＰＥＴフィルムの不規則な凹凸構造が表面に転写された第１の透明層を形成した後、白色ＰＥＴフィルムを剥離した。
第１の透明層の表面に、アルミニウムを真空蒸着法によって物理蒸着し、アルミニウム薄膜（厚さ：８ｎｍ）からなる反射膜を形成した。
【０１０５】
反射膜の表面に、紫外線硬化性樹脂（大阪ガスケミカル社製、オグソール（登録商標）ＥＡ−Ｆ５００３）１００質量部に対し、光開始剤（ＢＡＳＦ社製、イルガキュア（登録商標）９０７）を３質量部混合した溶液をダイコート法によって１０μｍの厚みに塗布し、紫外線硬化性樹脂の上に透明ＰＥＴフィルム（厚さ：０．１ｍｍ）を重ねた。
１０００ｍＪの紫外線を照射し、紫外線硬化性樹脂を硬化させて、第２の透明層を形成することによって、例１の光散乱シートを得た。
【０１０６】
ソーダライムガラス板（松浪硝子社製、厚さ：３ｍｍ）、ポリビニルブチラール（以下、ＰＶＢと記す。）フィルム（Ｓｏｌｕｔｉａ社製  Ｓａｆｌｅｘ  ＲＫ１１ｌ、厚さ：３７５μｍ）、例１の光散乱シート、ＰＶＢフィルム（厚さ：３７５μｍ）、ソーダライムガラス板（厚さ：３ｍｍ）の順に積層し、真空加熱圧着を行い、例１の反射型の映像表示透明部材を得た。例１の映像表示透明部材の評価結果を表１に示す。
【０１０７】
投影機として、短焦点プロジェクタ（ＲＩＣＯＨ社製、ＰＪ ＷＸ４１４１ＮＩ）を用意した。
図１に示すように、投影機２００に最も近い部分における、映像表示透明部材１の第１の面Ａへの映像光の入射角αが２６度となるように、映像表示透明部材１の第１の面Ａ側に設置した。映像光の投射距離は、最短で１８．８ｃｍであった。
【０１０８】
映像表示透明部材１に投影機２００から映像光を投射し、映像を表示させた。観察者Ｘは、映像表示透明部材１の第１の面Ａを、真正面かつ３ｍの距離から観察した。観察者Ｙは、映像表示透明部材１の第２の面Ｂを、真正面かつ３ｍの距離から観察した。投影機２００から投射された映像光Ｌに由来する反射光Ｒや透過光Ｔによる眩しさを観察者Ｘや観察者Ｙが感じることはなかった。また、映像の輝度ムラが抑えられていた。
【０１０９】
（例２）
投影機として、通常のプロジェクタ（ＥＰＳＯＮ社製、ＬＣＤ  ＰＲＯＪＥＣＴＯＲ  ＥＢ−Ｘ８）を用意し、入射角αを１０度、映像光の投射距離（最短）を１００ｃｍに変更した以外は、例１と同様にして映像表示透明部材に映像を表示させた。投影機２００から投射された映像光Ｌに由来する反射光Ｒや透過光Ｔによる眩しさが、観察者Ｘや観察者Ｙに感じられた。
【０１１０】
（例３）
不規則な凹凸構造が表面に形成された白色ＰＥＴフィルムとして、算術平均粗さＲａが０．０２μｍのものを用いた以外は、例１と同様にして例３の光散乱シートを得た。
例１の光散乱シートの代わりに例３の光散乱シートを用いた以外は、例１と同様にして例３の反射型の映像表示透明部材を得た。例３の映像表示透明部材の評価結果を表１に示す。
【０１１１】
例１の反射型の映像表示透明部材の代わりに例３の透過型の映像表示透明部材を用いた以外は、例１と同様にして映像表示透明部材に映像を表示させた。投影機２００から投射された映像光Ｌに由来する反射光Ｒや透過光Ｔによる眩しさを観察者Ｘや観察者Ｙが感じることはなかった。ただし、映像の輝度ムラが顕著に現れた。
【０１１２】
（例４）
透明ＰＥＴフィルム（東洋紡社製、コスモシャイン（登録商標）Ａ４３００、厚さ：５０μｍ）の表面に、紫外線硬化性樹脂（日立化成社製、ヒタロイド（登録商標）７９８１、比重１．１）をブレードコート法によって厚さが８０μｍとなるように塗布した。
光散乱部に対応した断面直角三角形の複数の凸条が表面に形成されたモールドを、凸条が紫外線硬化性樹脂に接するように、温度：２５℃、ゲージ圧：０．５ＭＰａの条件で紫外線硬化性樹脂の上に押し付けた。
【０１１３】
透明ＰＥＴフィルムの側から紫外線を照射し、紫外線硬化性樹脂を硬化させて、モールドの凸条に対応する溝が表面に形成された透明層下層を形成した後、モールドを剥離した。これにより、１００ｍｍ×１００ｍｍの領域の透明層下層の表面に、間隔：８０μｍ、幅：４０μｍ、深さ：８０μｍ、長さ：１００ｍｍ、断面形状：直角三角形の複数の溝が形成された。
【０１１４】
紫外線硬化性樹脂（日立化成社製、ヒタロイド（登録商標）７９８１、比重１．１）に、酸化チタン微粒子（平均粒子径：０．２μｍ、比重４．２）を０．１体積％となるように混合したペーストを用意した。
透明層下層の表面にペーストを供給し、余剰分をドクターブレードでかき取ることによって、透明層下層の溝にペーストを埋め込んだ。紫外線を照射し、ペーストを硬化させることによって、光散乱部を形成した。
【０１１５】
透明層下層の表面および光散乱部の表面に紫外線硬化性樹脂（日立化成社製、ヒタロイド（登録商標）７９８１、比重１．１）をダイコート法により厚さが５μｍとなるように塗布し、紫外線硬化性樹脂の上に透明ＰＥＴフィルムを重ねた。
紫外線を照射し、紫外線硬化性樹脂を硬化させて、透明層上層を形成することによって、例４の光散乱シートを得た。
【０１１６】
ソーダライムガラス板（松浪硝子社製、厚さ：３ｍｍ）、ＰＶＢフィルム（Ｓｏｌｕｔｉａ社製  Ｓａｆｌｅｘ  ＲＫ１１ｌ、厚さ：３７５μｍ）、例４の光散乱シート、ＰＶＢフィルム（厚さ：３７５μｍ）、ソーダライムガラス板（厚さ：３ｍｍ）の順に積層し、真空加熱圧着を行い、例４の透過型の映像表示透明部材を得た。例４の映像表示透明部材の評価結果を表１に示す。
【０１１７】
例１の反射型の映像表示透明部材の代わりに例４の透過型の映像表示透明部材を用いた以外は、例１と同様にして映像表示透明部材に映像を表示させた。投影機２００から投射された映像光Ｌに由来する反射光Ｒや透過光Ｔによる眩しさを観察者Ｘや観察者Ｙが感じることはなかった。
【０１１８】
（例５）
例１の反射型の映像表示透明部材の代わりに例４の透過型の映像表示透明部材を用いた以外は、例２と同様にして映像表示透明部材に映像を表示させた。投影機２００から投射された映像光Ｌに由来する反射光Ｒや透過光Ｔによる眩しさが、観察者Ｘや観察者Ｙに感じられた。
【０１１９】
【表１】
0006529728.tif 000002
【０１２０】
表中の評価基準は、下記のとおりである。
（光景視認性）
観察者側（反射型の場合は観察者Ｘ、透過型の場合は観察者Ｙ）から見て映像表示透明部材の向こう側に見える光景の視認性を、下記の基準にて評価した。
０：良好である。
１：手前が暗い場合、または外光が小さい場合は良好である。
２：大まかな認識が可能なレベルである。
３：光景を視認できない。
【０１２１】
（映像視認性）
観察者側（反射型の場合は観察者Ｘ、透過型の場合は観察者Ｙ）から見て映像表示透明部材に表示される映像の視認性を、下記の基準にて評価した。
０：良好である。
１：周囲が暗い場合は良好である。
２：大まかな認識が可能なレベルである。
３：映像を視認できない。
【産業上の利用可能性】
【０１２２】
本発明の映像表示システムは、商品等のショーケース；美術品等の展示ケース；建物、ショールーム、車両等の窓；ガラス扉；室内の透明パーティション等に用いられる透明部材に映像を表示させるシステムとして有用である。具体的には、観察者側から見て透明部材の向こう側に見える光景を視認でき、かつ観察者に対して商品等の説明、各種機器の状態、行き先案内、伝達事項等の情報を伝達する際、観察者に対して各種機器の操作画面等を表示する際、またはプライバシー保護、セキュリティ等のために観察者に対して透明部材の向こう側の光景を視認できなくする際には、投影機から投射された映像光を観察者に映像として視認可能に表示するシステムとして有用である。
【符号の説明】
【０１２３】
１〜６  映像表示透明部材
１０  第１の透明基材
１２  接着層
２０  第２の透明基材
２２  接着層
３０  光散乱シート
３１  第１の透明フィルム
３２  第１の透明層
３３  反射膜
３４  第２の透明層
３５  第２の透明フィルム
３６  光硬化性樹脂
３７  光硬化性樹脂
４０  光散乱シート
４１  第１の透明フィルム
４２  透明層
４２ａ  透明層下層
４３  光散乱部
４４  溝
４５  第２の透明フィルム
４６  光硬化性樹脂
４７  光硬化性樹脂
４８  ペースト
６１  モールド
６２  モールド
１０１  映像表示透明部材
１０２  映像表示透明部材
１１０  第１の透明基材
１２０  第２の透明基材
１３２  第１の透明層
１３３  反射膜
１３４  第２の透明層
１４２  透明層
１４３  光散乱部
２００  投影機
Ａ  第１の面
Ｂ  第２の面
Ｌ  映像光
Ｒ  反射光
Ｔ  透過光
Ｘ  観察者
Ｙ  観察者
α  入射角
【図１】
0006529728.tif 000003
【図２】
0006529728.tif 000004
【図３】
0006529728.tif 000005
【図４】
0006529728.tif 000006
【図５】
0006529728.tif 000007
【図６】
0006529728.tif 000008
【図７】
0006529728.tif 000009
【図８】
0006529728.tif 000010
【図９】
0006529728.tif 000011
【図１０】
0006529728.tif 000012